(57)【要約】【課題】広告内容を有する円盤状記録媒体を蓋に着脱自在に装着し、広告媒体として活用することができる容器蓋およびそれを用いた容器を提供する。【解決手段】  容器１００は、蓋１０と容器本体２０とから構成され、蓋１０は、容器２０の開口部２０Ａを塞ぐための天面部１１と、この天面部１１の外周縁部に沿って上に突出して一体に形成され、且つ、容器２０の開口部２０Ａの周面に着脱自在に嵌入される溝部１２と、天面部１１の中央部に上に突出して設けると共に、コンパクトディスク３０の中央穴に嵌る、着脱自在に装着可能な係合凸部１３と、天面部１１に半径方向に設けられた複数の凸状に形成されたリブ１４とを備えている。また、この蓋１０に広告内容を有するコンパクトディスク３０が設けられている。【選択図】      図１
2006264752.tif 000002
【特許請求の範囲】
【請求項１】
中央に穴を有する円盤状記録媒体を収容可能な、所定大きさの開口部を有する容器に装着される容器蓋であって、
前記容器の開口部を塞ぐための天面部と、
前記天面部の外周縁部に沿って上に突出して一体に形成され、且つ、前記容器の開口部の周面に着脱自在に嵌入される溝部と、
前記天面部の中央部に上に突出して設けると共に、前記円盤状記録媒体の中央穴に嵌る、該円盤状記録媒体を着脱自在に装着可能な係合凸部とを備えたことを特徴とする容器蓋。
【請求項２】
前記天面部に半径方向に設けられた複数の凸状に形成されたリブを備えることを特徴とする請求項１に記載の容器蓋。
【請求項３】
前記容器蓋に広告内容を有する円盤状記録媒体が装着され、前記円盤状記録媒体の記録面は前記リブの上面に当接することを特徴とする請求項２に記載の容器蓋。
【請求項４】
前記天面部を覆うように装着可能なカバーを備えることを特徴とする請求項１乃至３のいずれかにに記載の容器蓋。  
【請求項５】
中央に穴を有する円盤状記録媒体を収容可能な、所定大きさの開口部を有する容器に装着される容器蓋を有する容器であって、
所定の固体または液体状物を収納する容器本体と、前記容器本体の開口部に装着される容器蓋とを備え、
前記容器蓋は、前記容器の開口部を塞ぐための天面部と、前記天面部の外周縁部に沿って上に突出して一体に形成され、且つ、前記容器の開口部の周面に着脱自在に嵌入される溝部と、前記天面部の中央部に上に突出して設けると共に、前記円盤状記録媒体の中央穴に嵌る、該円盤状記録媒体を着脱自在に装着可能な係合凸部とを有することを特徴とする容器。
【請求項６】
前記天面部に半径方向に設けられた複数の凸状に形成されたリブを備えることを特徴とする請求項５に記載の容器。
【請求項７】
前記容器蓋に広告内容を有する円盤状記録媒体が装着され、前記円盤状記録媒体の記録面は前記リブの上面に当接することを特徴とする請求項６に記載の容器。
【請求項８】
前記天面部を覆うように装着可能なカバーを備えることを特徴とする請求項５乃至７のいずれかに記載の容器。
【発明の詳細な説明】
【技術分野】
【０００１】
本発明は、中央に穴を有する円盤状記録媒体を着脱自在に装着可能な、所定大きさの開口部を有する容器に装着される容器蓋、およびそれを用いた容器に関する。
【背景技術】
【０００２】
現在、売店および電車内などで販売されるコーヒー等カップ飲料は、蓋付きカップ容器を用いている。カップ容器は、そのカップ本体に、プラスチック製の蓋をかぶせるようにしている。そして、この蓋は、カップ本体に対して簡単にかぶせたり外したりできるようにしている。
【０００３】
このようなカップ容器の蓋には、ストローを挿入するための穴を設けたり、飲料等を注入するための開口部を設けたりすることが一般的である。
また、カップ容器の蓋体に、ミルクのごとき添加物を入れる、開口可能な密閉収容部を備えたカップ容器も提案されている（特許文献１参照）。
【０００４】
この場合、容器の蓋体に、開口可能な密閉収容部を備えたから、例えば、使い捨てコーヒーカップに使用した場合、蓋体の収容部を開口するだけの簡単な操作で、収容部内に入れてあったミルクはカップ 内のコーヒーに流れ落ちるから、後は飲むだけでよく、したがって、極めて簡単に飲む準備ができ非常に便利である。
【０００５】
コーヒーカップの蓋体には、カップ内に臨む下面部を備える収容部が一体成形により設けられ、食品工場などでこの収容部にミルクが充填されると、薄膜により下面部を密閉し、使用先に配送するようにしている。飲む際に、指で収容部を押しつぶすだけで、その圧により薄膜が破れ、ミルクはカップ内のコーヒーに流れ落ちるから、後は蓋体を取って口に運べばよく、したがって、極めて簡単に飲む準備ができ、非常に便利である。
【０００６】
【特許文献１】特開平９−２５１６号公報
【発明の開示】
【発明が解決しようとする課題】
【０００７】
しかしながら、上述した従来のカップ容器用蓋は、カップ容器の開口を密閉する目的のみであり、ストローを挿入するための穴を設けたり、ミルクの収容部を設けたりすることで、使用上の便利を図ることができるが、蓋に広告を印刷することができない、広告媒体として利用できないという欠点があった。
【０００８】
また、従来のカップ容器において、飲料等の広告は、容器の側面に印刷されることができるが、飲料等を購入した客が中身飲料等を飲用した後、蓋および容器は捨てられ、広告の寿命は短く、長期な宣伝効果を期待することができないという不都合があった。
【０００９】
そこで、本発明は、このような問題点を考慮してなされたもので、中央に穴を有する円盤状記録媒体を着脱自在に装着可能としたため、広告内容を有する円盤状記録媒体を装着することで広告媒体として活用することができるようにした容器蓋およびそれを用いた容器を提供することを目的とする。
【課題を解決するための手段】
【００１０】
上記課題を解決するため、本発明に係る容器蓋は、中央に穴を有する円盤状記録媒体を収容可能な、所定大きさの開口部を有する容器に装着される容器蓋であって、容器の開口部を塞ぐための天面部と、該天面部の外周縁部に沿って上に突出して一体に形成され、且つ、容器の開口部の周面に着脱自在に嵌入される溝部と、天面部の中央部に上に突出して設けると共に、円盤状記録媒体の中央穴に嵌る、該円盤状記録媒体を着脱自在に装着可能な係合凸部とを備えたものである。
【００１１】
例えば、天面部に半径方向に設けられた複数の凸状に形成されたリブを備える。容器蓋に円盤状記録媒体が装着され、円盤状記録媒体の記録面はリブの上面に当接する。また、天面部を覆うように装着可能なカバーを備える。
【００１２】
本発明に係る容器は、中央に穴を有する円盤状記録媒体を収容可能な、所定大きさの開口部を有する容器に装着される容器蓋を有する容器であって、所定の固体または液体状物を収納する容器本体と、該容器本体の開口部に装着される容器蓋とを備え、該容器蓋は、容器の開口部を塞ぐための天面部と、該天面部の外周縁部に沿って上に突出して一体に形成され、且つ、容器の開口部の周面に着脱自在に嵌入される溝部と、天面部の中央部に上に突出して設けると共に、円盤状記録媒体の中央穴に嵌る、該円盤状記録媒体を着脱自在に装着可能な係合凸部とを有するものである。
【００１３】
本発明においては、容器本体と、該容器本体の開口部に装着される容器蓋とを備え、容器蓋は、容器の開口部を塞ぐための天面部と、該天面部の外周縁部に沿って上に突出して一体に形成され、且つ、前記容器の開口部の周面に着脱自在に嵌入される溝部と、天面部の中央部に上に突出して設けると共に、円盤状記録媒体の中央穴に嵌る、該円盤状記録媒体を着脱自在に装着可能な係合凸部とを備えるようになされる。
【００１４】
例えば、容器蓋の天面部に半径方向に設けられた複数の凸状に形成されたリブを備える。容器蓋に円盤状記録媒体が装着され、この円盤状記録媒体の記録面はリブの上面に当接する。また、天面部を覆うように装着可能なカバーを備える。
【００１５】
これにより、容器蓋に円盤状記録媒体を着脱自在に装着可能で、広告内容を有する円盤状記録媒体が装着された場合、飲料等商品の販売（または配布）と共に、広告（または広告品）を配布することができるため、容器を広告媒体として活用することが可能となる。
【００１６】
また、円盤状記録媒体は蓋から簡単に外すことができ、容器の使用後にも広告内容を有する円盤状記録媒体を保有することが可能であるので、長期な宣伝効果を期待できる。
【００１７】
また、天面部に半径方向に設けられた複数の凸状に形成されたリブが形成され、円盤状記録媒体の記録面は前記リブの上面に当接するようにしたため、蓋の強度を増強することができると共に、円盤状記録媒体の記録面との接触面が小さくすることにより記録面への傷つきを抑えることが可能となる。
【００１８】
また、天面部を覆うように装着可能なカバーを備えることで、蓋部は円盤状記録媒体を収納するケースとしても利用可能となる。
【発明の効果】
【００１９】
本発明によれば、容器の開口部を塞ぐための天面部と、該天面部の外周縁部に沿って上に突出して一体に形成され、且つ、前記容器の開口部の周面に着脱自在に嵌入される溝部と、天面部の中央部に上に突出して設けると共に、円盤状記録媒体の中央穴に嵌る、該円盤状記録媒体を着脱自在に装着可能な係合凸部とを備えるものであり、広告内容を有する円盤状記録媒体を着脱自在に装着可能で、飲料等商品の販売（または配布）と共に、広告（または広告品）を配布することができるため、容器を広告媒体として活用することができる。
【００２０】
そのため、予め容器本体の外表面に広告内容を印刷することが必要とせず、任意に所定の広告内容を有する円盤状記録媒体を容器蓋に装着することができる。広告内容を有する円盤状記録媒体が装着された場合、飲料等商品の販売（または配布）と共に、広告を配布することができるため、容器を広告媒体として活用することができる。
【００２１】
また、容器の使用後にも広告内容を有する円盤状記録媒体を保有することができるため、長期な宣伝効果を期待できる。
【００２２】
また、天面部に半径方向に設けられた複数の凸状に形成されたリブが形成され、円盤状記録媒体はその記録面がリブの上面に当接するように装着されるため、蓋の強度を増強することができると共に、円盤状記録媒体の記録面への傷つきを抑えることができる。
【００２３】
また、天面部を覆うように装着可能なカバーを備えることで、蓋部は円盤状記録媒体を収納するケースとしても利用できる。
【発明を実施するための最良の形態】
【００２４】
本発明に係る容器蓋およびそれを有する容器を実施するための最良の形態を、図を参照して説明する。図１は本発明に係る容器の構成を示す斜視図である。
【００２５】
図１に示すように、容器１００は、蓋１０と、容器本体２０とから構成され、また、蓋１０に円盤状記録媒体としてのコンパクトディスク３０が設けられている。蓋１０は、例えば所定厚さの透明または不透明のプラスチック材料から成型される。容器本体２０は、例えばプラスチックまたは紙材料から円台状に形成されたカップ状容器である。
【００２６】
図２は、蓋１０の上方から見た図である。また、図３は、図２に示す蓋１０のＡ−Ａ断面図である。図４は、コンパクトディスク３０が装着されている状態を示す断面図である。
【００２７】
図２および図３に示すように、蓋１０は、容器２０の開口部２０Ａを塞ぐための天面部１１と、この天面部１１の外周縁部に沿って上に突出して一体に形成され、且つ、容器本体２０の開口部２０Ａの周面に着脱自在に嵌入される溝部１２と、天面部１１の中央部に上に突出して設けると共に、コンパクトディスク３０の中央穴に嵌る、着脱自在に装着可能な係合凸部１３とを備え、天面部１１に半径方向に設けられた複数の凸状に形成されたリブ１４が形成されている。
【００２８】
蓋１０の係合凸部１３は、コンパクトディスク３０の中央穴の直径よりわずかに大きくした凸部１３Ａが形成され、また、凸部１３Ａに蓋１０の中心に向かって複数の凹部１５が設けられる。コンパクトディスク３０を上から押し込み装着するとき、複数の凹部１５が圧縮され、凸部１３Ａの外径が小さくなり、係合凸部１３はコンパクトディスク３０の中央穴に挿入される。
【００２９】
また、図４に示すように、コンパクトディスク３０が装着される場合、コンパクトディスク３０の記録面はリブ１４の上面に当接する。これにより、円盤状記録媒体の記録面との接触面が小さくすることで円盤状記録媒体の記録面への傷つきを抑えることができる。また、リブ１４以外の位置において、コンパクトディスク３０の記録面と天面部１１との間に所定高さの空間が形成されているため、容器１００に装填された飲み物などの温度による影響を回避することができる。
【００３０】
この例において、天面部１１に３つのリブ１４が等角度（６０度）に形成されている。リブ１４の数と形状は、これに限定されるものではない。
【００３１】
また、係合凸部１３の上面には、所定大きさの開口部１６が設けられている。開口部１６は、部分円状の切り口１６Ａから形成される。この開口部１６は、ストローを挿入するための穴として利用できる。また、ホット飲料を装入する場合、空気抜き穴としても利用可能である。
【００３２】
図５は、コンパクトディスク３０を取り外す際の状態を示す図である。図５に示すように、コンパクトディスク３０を取り外す際に、上から（図中の矢印）係合凸部１３の上面を押すことで、蓋１０の中部が変形され、天面部１１はたわみが形成し、凸部１３Ａは小さくなりまたは直線状になる。これにより、コンパクトディスク３０は容易に取り外せる。
【００３３】
また、コンパクトディスク３０は、例えば歌、曲等が書き込まれた音楽ＣＤである。また、コンパクトディスク３０の表面ラベルには、音楽ＣＤのタイトルおよび広告内容が印刷される。なお、コンパクトディスク３０中の内容は、歌、曲等に限定されるものではない。例えば、広告内容としての画像、映像、他の電子データ等にしてもよい。
【００３４】
このように本実施の形態においては、容器１００は、蓋１０と容器本体２０とから構成され、蓋１０は、容器２０の開口部２０Ａを塞ぐための天面部１１と、この天面部１１の外周縁部に沿って上に突出して一体に形成され、且つ、容器２０の開口部２０Ａの周面に着脱自在に嵌入される溝部１２と、天面部１１の中央部に上に突出して設けると共に、コンパクトディスク３０の中央穴に嵌る、着脱自在に装着可能な係合凸部１３と、天面部１１に半径方向に設けられた複数の凸状に形成されたリブ１４とを備えている。また、この蓋１０にコンパクトディスク３０が設けられている。
【００３５】
これにより、蓋１０にコンパクトディスク３０を着脱自在に装着可能で、飲料等商品の販売（または配布）と共に、広告（または広告品のＣＤ）を配布することができるため、容器を広告媒体として活用することができる。
【００３６】
また、コンパクトディスク３０は蓋１０から簡単に外すことができ、容器１００の使用後にも広告内容を有するコンパクトディスク３０を保有することが可能であるので、長期な宣伝効果を期待できる。
【００３７】
また、天面部１１に半径方向に設けられた複数の凸状に形成されたリブ１４が形成され、コンパクトディスク３０の記録面はリブ１４の上面に当接するようにしたため、蓋１０の強度を増強することができると共に、円盤状記録媒体の記録面との接触面が小さくすることによりコンパクトディスク３０の記録面への傷つきを抑えることができる。また、リブ１４以外の位置において、コンパクトディスク３０の記録面と天面部１１との間に所定高さの空間が形成されているため、容器１００に装填された飲み物などの温度による影響を回避することができる。
【００３８】
また、係合凸部１３の上面には、所定大きさの開口部１６を設けることで、ストローを挿入する穴として利用できると共に、ホット飲料を装入する場合、空気抜き穴としても利用可能である。
【００３９】
なお、上述実施の形態においては、容器１００の蓋１０にカバーを設けてもよい。例えば、図６に示すように、蓋１０にカバー４０を設ける。このカバー４０は、蓋１０の外周に嵌合するようになされ、これにより、コンパクトディスク３０を保護するためのケースが構成される。
【００４０】
このような構成を用いた場合、蓋１０または容器１００の搬送中にコンパクトディスク３０を保護することができる。また、容器１００の使用後に容器本体２０を捨て、蓋部（蓋１０とカバー４０）を残して、コンパクトディスク３０を保護するためのケースとしても利用することができる。
【００４１】
また、上述実施の形態においては、プラスチックまたは紙材料から形成されたカップ状容器について説明したが、これに限定されるものではない。
【００４２】
また、上述実施の形態においては、円盤状記録媒体としてコンパクトディスク３０を蓋１０に装着する場合について説明したが、これに限定されるものではない。蓋１０に合わせて他の円盤状記録媒体（ディスク）を装着するようにしてもよい。
【産業上の利用可能性】
【００４３】
この発明は、所定大きさの開口部を有する容器に装着される容器蓋、およびそれを用いた容器の機能を向上し、日常に使用される容器を広告媒体として活用することができ、広告代理業、または企業などがイベントなどで広告を配布する目的に利用できる。
【図面の簡単な説明】
【００４４】
【図１】本発明に係る容器の構成を示す斜視図である。
【図２】蓋１０の上方から見た図である。
【図３】図２に示す蓋１０のＡ−Ａ断面図である。
【図４】コンパクトディスク３０が装着されている状態を示す図である。
【図５】コンパクトディスク３０を取り外す際の状態を示す図である。
【図６】蓋の他の構成例を示す図である。
【符号の説明】
【００４５】
１０  蓋
１１  天面部
１２  溝部
１３  係合凸部
１３Ａ  凸部
１４  リブ
１５  凹部
１６  開口部
１６Ａ  切り口
２０  容器
２０Ａ  開口部
３０  コンパクトディスク
４０  カバー
１００  容器
【図１】
2006264752.tif 000003
【図２】
2006264752.tif 000004
【図３】
2006264752.tif 000005
【図４】
2006264752.tif 000006
【図５】
2006264752.tif 000007
【図６】
2006264752.tif 000008